(57)【特許請求の範囲】
【請求項１】
経編地であって、
互いに編み合わされた複数の経撚糸であって、前記経撚糸は前記経編地の第１の端を形成する第１の経撚糸と前記経編地の第２の端を形成する第２の経撚糸とを含み、前記経編地の幅は前記第１の端から前記第２の端までである、複数の経撚糸と、
前記経編地の前記第１の端において挿入され、前記経編地の前記第１及び第２の端の間において前記経撚糸を横切る１つの緯撚糸であって、前記緯撚糸は前記経撚糸の全てよりも少なく横切って延伸し、前記緯撚糸は複数の平行する緯撚糸セグメントを有し、前記緯撚糸セグメントは、前記複数の経撚糸における第１の１組の経撚糸を横切って延伸する第１の緯撚糸セグメントと、前記第１の１組の経撚糸とは異なる、前記複数の経撚糸における第２の１組の経撚糸を横切って延伸する第２の緯撚糸セグメントと、を少なくとも含み、前記緯撚糸は電気信号を伝導する導電撚糸を含む、緯撚糸と、
を備える経編地。
【請求項２】
それぞれの緯撚糸セグメントは少なくともいくつかの前記経撚糸を横切って延伸する、請求項１に記載の経編地。
【請求項３】
前記緯撚糸セグメント間の間隔が均一である、請求項２に記載の経編地。
【請求項４】
前記緯撚糸の前記緯撚糸セグメント間の間隔は不均一である、請求項２に記載の経編地。
【請求項５】
前記経編地の前記第１及び第２の端の間に前記経撚糸を横切って挿入される追加の緯撚糸を更に備え、前記追加の緯撚糸は前記経撚糸の全てよりも少なく横切って延伸する、請求項１に記載の経編地。
【請求項６】
前記緯撚糸は前記経編地における第１のパターンに従い、前記追加の緯撚糸は前記経編地における第２のパターンに従い、前記第１のパターンは前記第２のパターンとは異なる、請求項５に記載の経編地。
【請求項７】
前記緯撚糸は前記複数の経撚糸における第１の１組の経撚糸を横切って延伸し、前記追加の緯撚糸は前記複数の経撚糸における第２の１組の経撚糸を横切って延伸し、前記第１の１組の経撚糸は前記第２の１組の経撚糸とは異なる、請求項５に記載の経編地。
【請求項８】
経編テキスタイルであって、
互いに編み合わさせた第１の複数の経撚糸と、前記第１の複数の経撚糸における前記経撚糸の全てよりも少なく横切って延伸する１つの第１の緯入れ撚糸と、を含む第１の層であって、前記第１の複数の経撚糸は、前記経編テキスタイルの第１の端を形成する第１の経撚糸と、前記経編テキスタイルの第２の端を形成する第２の経撚糸とを含み、前記経編テキスタイルの幅は前記第１の端から前記第２の端までであり、前記第１の緯入れ撚糸は前記経編テキスタイルの前記第１の端において挿入され、前記第１の緯入れ撚糸は複数の平行するセグメントを有し、前記セグメントは、前記第１の複数の経撚糸における第１の１組の経撚糸を横切って延伸する第１のセグメントと、前記第１の１組の経撚糸とは異なる、前記第１の複数の経撚糸における第２の１組の経撚糸を横切って延伸する第２のセグメントと、を少なくとも含み、前記第１の緯入れ撚糸は電気信号を伝導する導電撚糸を含む、第１の層と、
第２の複数の経撚糸を含む第２の層と、
前記第１の層及び前記第２の層との間に介在し、前記第１の層を前記第２の層に連結する第３の複数の経撚糸を含む、スペーサ層と、
を備える経編テキスタイル。
【請求項９】
前記第２の層は、前記第２の複数の経撚糸における前記経撚糸の全てよりも少なく横切って延伸する第２の緯入れ撚糸を含む、請求項８に記載の経編テキスタイル。
【請求項１０】
前記第２の緯入れ撚糸は導電撚糸を含む、請求項９に記載の経編テキスタイル。
【請求項１１】
前記第３の複数の経撚糸は絶縁撚糸を含む、請求項１０に記載の経編テキスタイル。
【請求項１２】
前記第１の層における前記第１の緯入れ撚糸は、前記第２の層の前記第２の緯入れ撚糸に重なり合う、請求項１１に記載の経編テキスタイル。
【請求項１３】
前記複数の経撚糸に挿入された経入れ撚糸をさらに備え、前記複数の経撚糸は絶縁撚糸を含み、前記経入れ撚糸は導電撚糸を含む、請求項１に記載の経編地。
【請求項１４】
前記経入れ撚糸はセンサ電極を形成するように前記緯撚糸と重なり合っている、請求項１３に記載の経編地。
【請求項１５】
前記センサ電極がタッチセンサを含む、請求項１４に記載の経編地。
【請求項１６】
前記センサ電極が力センサを含む、請求項１４に記載の経編地。
【発明の詳細な説明】
【背景技術】
【０００１】
本出願は、２０１５年６月２９日に出願された米国仮特許出願第６２／１８６，２８５号に対する優先権を主張するものであり、これにおいて参照によりその全体が本明細書内に組み入れられる。
本発明は概して素材の撚糸から形成される物品、より具体的には、編み合わせられた導電性及び非導電性素材の撚糸から形成された物品に関する。
【０００２】
素材の編み合わされた撚糸から、鞄、服、及び他の物品を形成することが望ましい場合がある。例えば、織られた若しくは編まれた布地、又は編み組まれた撚糸を、物品の一部を形成するのに用いてもよい。
【０００３】
いくつかの状況では、経編地を用いて物品を形成することが望ましくあり得る。経編地は多種多様の布地構造を可能とし、複数層を有する三次元構造に編むことができる。
【０００４】
経編地は、挿入された緯糸及び／又は経糸を含むことがある。挿入された緯糸及び経糸は編まれた布地に平らに寝かされ、布地に強度と剛性を与えることができる。
【０００５】
従来の経編機では、緯糸は、各緯糸を編機の幅全体を横切って保持する緯糸キャリアを用いて挿入される。この種の機器で布地に挿入された緯糸は決まった経路を有し、典型的には布地の幅全体にわたる。
【０００６】
経編地において緯糸を１つの幅及び１つのパターンに制限することは、経編地のレイアウト及びデザインに望ましくない限定を生じさせる可能性がある。これらの限定は、導電性信号経路及び導電性領域を有する布地を形成するときに特に厄介である。例えば、経編地内の固定パターンの緯糸は、布地の中の異なる形状、大きさ、及びパターンの導電性領域を形成するのに用いることはできない。
【０００７】
したがって、経編地のための改良された布地構成を提供できることが望ましいであろう。
【発明の概要】
【０００８】
物品は、編み合わされた素材の撚糸から形成された布地又は他の素材を含み得る。素材の撚糸は、非導電撚糸及び導電撚糸を含み得る。撚糸は経編機によって編み合わされて、経編地を生成し得る。経編地は、編み合わされた経撚糸と、経撚糸に挿入された緯入れ撚糸とを含み得る。
【０００９】
緯入れ撚糸は、経編地において経撚糸の全てよりも少なく横切って延伸し得る。緯入れ撚糸は、それぞれが経撚糸の異なる部分を横切って延伸する、平行するセグメントを布地の中に含み得る。緯入れ撚糸のセグメントは、互いに対して、及び布地の幅に対して、異なる幅を有し得る。例えば、いくつかの緯入れ撚糸は布地の幅全体にわたって延伸し得る一方で、他の緯入れ撚糸は布地の幅の一部のみにわたってしか延伸しなくてもよい。
【００１０】
様々な幅の緯入れ撚糸を有する経編地を形成するには、緯入れ撚糸は、コンピュータ制御の位置決め装置によって位置決めされた緯入れデバイスを用いて経編機に挿入されてもよい。コンピュータ制御の位置決め装置は、布地内の緯撚糸の所望の幅に対応する、布地の所望の幅にわたって、緯入れデバイスを動かしてもよい。緯入れデバイスは、緯入れデバイスが経編機を横切って所望の距離を移動しながら経編機の中に緯撚糸を供給してもよい。所望であれば、複数の緯入れデバイスを並行して用いて、編んでいる間に複数の緯撚糸を布地に挿入するように用いてもよい。緯入れデバイスは独立して制御されてもよく、所望であれば、布地内に異なる緯撚糸パターンを生成してもよい。
【００１１】
他の構成では、緯入れ撚糸はコンベヤ表面上に、経編地内に生成されるパターンに対応するパターンに従って予め載置されてもよい。例えば、緯入れ撚糸をコンベヤ表面上の一連の支柱の周りに巻いて、異なる幅を有する平行セグメントを生成してもよい。コンベヤは、各セグメントを経編機の中に供給することで、経編地の中に様々な幅の緯入れ撚糸を埋め込んでもよい。
【００１２】
経編機はトリコット編機、シングルニードルバーラッシェル編機、ダブルニードルバー編機、又は他の好適な編機であってもよい。ダブルニードルバーラッシェル編機では、多層布地を製造し得る。例えば、第１及び第２の層、並びに第１及び第２の層を繋げるスペーサ層を有する経編テキスタイルを製造し得る。所望であれば、多層経編テキスタイルにおける任意の１つ以上の層は、様々な経路を有する緯入れ撚繊維を含んでもよい。
【図面の簡単な説明】
【００１３】
【図１】一実施形態に係る、素材の撚糸を有し得る例示的な物品の模式図である。
【００１４】
【図２】一実施形態に係る、導電撚糸を含み得る経編地の一部の上面図である。
【００１５】
【図３】一実施形態に係る、異なる幅を有する緯入れ撚糸を有する経編地の一部の上面図である。
【００１６】
【図４】一実施形態に係る、異なるパターンを有する緯入れ撚糸を有する経編地を形成するための例示的な機器の図である。
【００１７】
【図５】一実施形態に係る、経編地を形成するのに用い得る例示的な経編機器の斜視図である。
【００１８】
【図６】一実施形態に係る、編み目形成中に第１の位置にある、例示的な経編機器の側面図である。
【００１９】
【図７】一実施形態に係る、編み目形成中に第２の位置にある、例示的な経編機器の側面図である。
【００２０】
【図８】一実施形態に係る、編み目形成中に第３の位置にある、例示的な経編機器の側面図である。
【００２１】
【図９】一実施形態に係る、編んでいる間にどのように緯入れ撚糸が挿入され得るかを示す、例示的な経編地の断側面図である。
【００２２】
【図１０】一実施形態に係る、可変幅の緯入れ撚糸が所定のパターンに設けられる緯入れデバイスを含む、例示的な機器の斜視図である。
【００２３】
【図１１】一実施形態に係る、コンピュータ制御の位置決め装置によって位置決めされた緯入れデバイスを含む、多層布地を編むための例示的な編機の斜視図である。
【００２４】
【図１２】一実施形態に係る、コンピュータ制御の位置決め装置によって位置決めされた複数の緯入れデバイスを含む布地を編むための例示的な編機の斜視図である。
【００２５】
【図１３】一実施形態に係る、様々な幅の平行セグメントを有する緯入れ撚糸を有する、例示的な経編地の上面図である。
【００２６】
【図１４】一実施形態に係る、様々な幅及び異なるパターンの平行セグメントを有する緯入れ撚糸を有する、例示的な経編地の上面図である。
【００２７】
【図１５】一実施形態に係る、様々な幅及び様々な間隔での平行セグメントを有する緯入れ撚糸を有する、例示的な経編地の上面図である。
【００２８】
【図１６】一実施形態に係る、様々な間隔での緯入れ撚糸及び経入れ撚糸を有して異なる解像度を有する領域を生成する、例示的な経編地の上面図である。
【発明を実施するための形態】
【００２９】
素材の撚糸は、図１の撚糸系物品１０などの撚糸系物品に組み込み得る。物品１０は、ラップトップコンピュータ、組み込み型コンピュータを含むコンピュータ用モニタ、タブレットコンピュータ、セルラー電話機、メディアプレーヤ、又はその他のハンドヘルド若しくはポータブル電子デバイスなどの電子デバイス又は電子デバイス用のアクセサリ、腕時計型デバイス、ペンダント型デバイス、ヘッドホン型若しくはイヤホン型デバイス、眼鏡に埋め込まれたデバイス若しくはユーザの頭部に装着する他の機器、又はその他の着用可能な若しくはミニチュアデバイスなどの小さめのデバイス、テレビ、組み込み型コンピュータを含まないコンピュータ用ディスプレイ、ゲーミングデバイス、ナビゲーションデバイス、布地系物品１０がキオスク、自動車、飛行機、又は他の車両に搭載されるシステムなどの組み込みシステム、他の電子機器、又はこれらのデバイスのうちの２つ以上の機能を実装する機器であってもよい。所望であれば、物品１０は電子機器用の取り外し可能外側ケースであってもよく、ストラップであってもよく、リストバンド若しくはヘッドバンドであってもよく、デバイス用の取り外し可能カバーであってもよく、ストラップ若しくは電子機器及び他の物品を受けて運ぶ他の構造を有するケース若しくは鞄であってもよく、ネックレス若しくはアームバンドであってもよく、電子機器若しくは他の物品を挿入し得る財布、袖、ポケット、若しくは他の構造であってもよく、椅子、ソファ、若しくは他の座席（例えば、クッション若しくは他の着席用構造）であってもよく、被服類又は他の着用可能物品（例えば、帽子、ベルト、リストバンド、ヘッドバンドなど）の一部であってもよく、又は他の任意の好適な撚糸系の物品であってもよい。
【００３０】
撚糸系物品１０の撚糸は、電子デバイスのための筐体壁の全て又は一部を形成してもよく、電子デバイスにおける内部構造を形成してもよく、又は他の撚糸系構造を形成してもよい。撚糸系物品１０は柔らかくてもよく（例えば、物品１０は軽いタッチが得られる布地表面を有してもよい）、剛性なタッチを有してもよく（例えば、物品１０の表面は硬い布地から形成されてもよい）、粗くてもよく、滑らかでもよく、リブ若しくは他のパターン化された質感を有してもよく、及び／又はプラスチック、金属、結晶性材料、セラミック、若しくは他の素材の非布地構造から形成される部分を有するデバイスの一部として、形成されてもよい。
【００３１】
物品１０は編み合わされた撚糸１２を含み得る。撚糸は、織り機、編機、組機、又は（例えば、フェルトを形成するために）撚糸を互いに他の方向にもつれさせることで撚糸を絡み合わせる機器など、撚糸編み合わせ機を用いて編み合わせてもよい。編み合わされた撚糸１２は、例えば、織られた若しくは編まれた布地、又は他の布地（すなわち、物品１０は布地系物品であり得る）、組まれたコードなどであってもよい。
【００３２】
撚糸１２は単繊維撚糸であってもよく、又は複数の素材の繊維を絡み合わせることで形成される糸、より糸、又は他の撚糸であってもよい。撚糸１２は、ポリマー、金属、ガラス、黒鉛、セラミック、綿、竹、ウールなどの天然繊維、又は他の有機及び／若しくは無機素材並びにこれら素材の組み合わせから形成されてもよい。撚糸１２は絶縁性であっても導電性であってもよい。
【００３３】
金属コーティングなどの導電性コーティングを非導電撚糸（例えば、プラスチック芯）上に形成して導電性としてもよく、これらのような撚糸は絶縁性にコーティングされるか裸のままでもよい。金属コーティングなどの反射性コーティングは、反射性とするために撚糸１２に適用されてもよい。撚糸１２はまた、単繊維金属ワイヤ、マルチフィラメントワイヤ、又は異なる素材の組み合わせから形成されてもよい。
【００３４】
撚糸１２はその全体の長さにわたって導電性であってもよく、又は導電性のセグメント（例えば、局所的に絶縁部を取り除くことで露出される、又は非導電撚糸の一部に導電層を加えることで形成される、金属部）を有してもよい。糸及び編み合わされた繊維から形成される他のマルチフィラメントより糸は、導電性繊維及び絶縁性繊維の混合物を含み得る（例えば、外側の絶縁層があってもなくてもよい金属撚糸又は金属コーティングされた撚糸を、絶縁性である固体プラスチック繊維又は天然繊維と組み合わせて用いてもよい）。
【００３５】
物品１０は、撚糸１２を一緒に保持するためのポリマーバインダなどの追加の機械式構造体１４、フレーム部材などの支持構造体、筐体構造体（例えば、電子デバイス筐体）、及び他の機械式構造体を含み得る。
【００３６】
回路１６は、物品１０内に含まれ得る。回路１６は、撚糸１２に連結される構成要素、撚糸１２によって形成されるエンクロージャ内に収容される構成要素、溶接、ソルダー接合、接着結合（例えば、導電性接着結合）、圧着接続、又は他の電気及び／又は機械式結合を用いて撚糸１２に取り付けられる構成要素を含み得る。回路１６は、電流、集積回路、抵抗器、コンデンサ、及びインダクタなどの個別の電気構成要素、スイッチ、コネクタ、発光ダイオードなどの発光構成要素、マイク及びスピーカなどのオーディオ構成要素、振動機、ソレノイド、圧電デバイス、及び他の電気機械デバイス、コネクタ、微小電気機械システム（microelectromechanical systems、ＭＥＭｓ）デバイス、圧力センサ、光検知器、近接センサ、力センサ、湿度センサ、温度センサ、加速器、ジャイロスコープ、コンパス、磁気センサ、タッチセンサ、及び他のセンサ、ディスプレイを形成する構成要素、タッチセンサアレイ（例えば、二次元でタッチイベントを検出するタッチセンサを形成する容量性タッチセンサ電極のアレイ）、及び他の入出力デバイスを運ぶ金属構造を含み得る。回路１６はまた、不揮発性及び揮発性メモリ、マイクロプロセッサ、特定用途向け集積回路、システム・オン・チップデバイス、ベースバンドプロセッサ、有線及び無線通信回路、並びに他の集積回路をも含み得る。
【００３７】
物品１０は、電子機器又は他の追加物品１８と相互作用してもよい。物品１８は物品１０に取り付けられてもよく、又は物品１０と物品１８は別々の物品であって、互いに動作し合うように構成されてもよい（例えば、片方の物品がケースであり、他方がケース内に収まるデバイスである場合など）。回路１６は、物品１８との無線通信を支持するアンテナ及び他の構造を含んでもよい。物品１８はまた、有線通信リンク又は情報交換を可能とする他の接続を用いて、撚糸系物品１０と相互作用してもよい。
【００３８】
一部の状況では、物品１８は、セルラー電話、コンピュータ、又は他の携帯電子デバイスなどの電子デバイスであってもよく、撚糸系物品１０は電子デバイスをポケット、内部空洞、若しくは物品１０の他の部分で受け入れるケース又は他の構造を形成してもよい。他の状況では、物品１８は腕時計型デバイス又は他の電子デバイスであってもよく、物品１０は物品１８に取り付けられるストラップ又は他の撚糸系物品であってもよい。まだ他の状況では、物品１０は電子デバイスであってもよく、撚糸１２は電子デバイスを形成する上で用いてもよく、追加物品１８は物品１０と相互作用するアクセサリ又は他のデバイスを含んでもよい。
【００３９】
所望であれば、物品１０及び／又は１８の中の磁石並びに他の構造によって、物品１０と物品１８とが無線で相互作用させることを可能としてもよい。片方の物品は、例えば、磁界を生成する磁石を含んでもよく、他方の物品は磁界の存在に反応する磁気スイッチ又は磁気センサを含んでもよい。物品１０及び１８はまた、圧力感知スイッチ、圧力センサ、力センサ、近接センサ、光に基づくセンサ、連動する電気コネクタを用いて、自身又は互いに相互作用してもよい。
【００４０】
物品１０を構成する撚糸は、任意の好適な撚糸編み合わせ機を用いて編み合わせてもよい。例えば、撚糸１２を一緒に織って布地を形成してもよい。布地は平織、繻子織、綾織、若しくはこれらの織の変形を有してもよく、三次元で織られた布地、又は他の好適な織布地であってもよい。所望であれば、物品１０を構成する撚糸は、編機、組み機、若しくは他の撚糸編み合わせ機を用いて編み合わされてもよい。物品１０はまた、２種類以上の布地又は編み合わされた撚糸系の素材を組み込んでもよい（例えば、物品１０は織られた部分と編まれた部分の両方を含んでもよい）。
【００４１】
物品１０を構成する撚糸は、編み合わされて図２の例示的な布地２０などの布地を成してもよい。布地２０は、撚糸１２を含み得る。撚糸１２は、導電及び／又は絶縁材料から形成することができる。例として、布地は、導電撚糸が分散化された絶縁撚糸から形成されてもよい。図２の例示的な構成では、布地２０は、布地２０の長さＬに沿ってジグザグに進む経撚糸１２−１の列を有する経編地である。経撚糸１２−１のそれぞれにはいくつかの編み目があり、それぞれの編み目は前の列の隣接する撚糸の編み目としっかり繋がる。例えば、布地２０の列２２Ｂの編み目は、布地２０の列２２Ａの編み目としっかり繋がる。
【００４２】
所望であれば、経編地に追加の撚糸を挿入してもよい。例えば、図３に示すように、布地２０は、編み合わされた経撚糸１２−１に挿入された緯撚糸１２−２及び経撚糸１２−３を含んでもよい。布地２０の幅Ｗにわたって挿入された緯撚糸１２−２は、緯入れ撚糸と呼ばれることがある。布地２０の長さＬに沿って挿入される経撚糸１２−３は、経入れ撚糸と呼ばれることがある。
【００４３】
緯糸が上下する織りパターンによって波様の形状を有する織布地とは対照的に、緯入れ撚糸１２−２は、布地２０の中に撚糸が縫い目の列の間に挿入されるために、布地２０の中で平らに寝ることができる。例えば、図３に示すように、緯入れ撚糸１２−２は、縫い目の列Ａと縫い目の列Ｂとの間にて布地２０に挿入されている。
【００４４】
緯入れ撚糸１２−２及び経入れ撚糸１２−３は経撚糸１２−１と同一の素材から形成されてもよく、又は異なる素材から形成されてもよい。例えば、経撚糸１２−１は絶縁性の撚糸であってもよい一方で、緯入れ撚糸１２−２及び／又は経入れ撚糸１２−３は導電撚糸であってもよい。所望であれば、経撚糸１２−１は導電撚糸であってもよい一方で、緯入れ撚糸１２−２及び／又は経入れ撚糸１２−３は絶縁撚糸であってもよい。
【００４５】
布地を横切って緯入れ撚糸がわたる距離は、緯入れ撚糸の「幅」として呼ばれてもよい。単一の緯撚糸が布地の複数列を形成し得るため、緯入れ撚糸の幅は、緯入れ撚糸のセグメントによって形成される所定の列の幅を指してもよい。例えば、緯撚糸１２−２’及び緯撚糸１２−２”は２本の別々の緯撚糸から形成されてもよく、又は布地を行き来して延伸する単一の緯撚糸から形成されてもよい。言い換えると、単一の緯撚糸が複数の幅を有してもよく、それぞれの幅は緯撚糸のセグメントによって形成される対応する列に応じる。
【００４６】
異なる布地パターン及びデザインを可能とするために、布地２０は、布地２０にて可変パターンに従う緯入れ撚糸１２−２を含んでもよい。例えば、緯入れ撚糸１２−２は、布地２０の幅に沿って様々な距離にわたってもよい。いくつかの緯入れ撚糸１２−２は布地２０の幅Ｗにわたる（例えば、経繊維１２−１の全てを横切って延伸する）一方で、撚糸１２−２’及び１２−２”などの他の緯入れ撚糸は、布地２０の幅Ｗ全体にはわたらない（例えば、経繊維１２−１の全てより少なく延伸する）。図３の例示的な実施例では、撚糸１２−２’は布地２０の幅Ｗよりも少ない幅Ｗ１を有し、撚糸１２−２”は布地２０の幅Ｗ及び撚糸１２−１の幅Ｗ１よりも短い幅Ｗ２を有する。緯入れ撚糸１２−２の幅を変動させることは、経編地ではそうでなければ可能ではないパターンを可能とし得る。
【００４７】
図４に、可変パターンの緯入れ撚糸を含む布地系物品を形成するのに関与し得る種類の例示的な機器及び動作を示す。
【００４８】
図４に示すように、図４の機器は、撚糸源２４から撚糸が提供されてもよい。撚糸源２４によって提供される撚糸は、単撚糸単繊維であってもよく、単撚糸単繊維を編み合わせることで形成される糸、紡糸、繊維、若しくは他の撚糸であってもよい。撚糸は、ポリマー、金属、ガラス、黒鉛、セラミック、綿若しくは竹などの天然素材、又は他の有機及び／若しくは無機素材並びにこれらの素材の組み合わせから形成されてもよい。金属コーティングなどの導電コーティングを、非導電撚糸芯上に形成してもよい。撚糸はまた、単繊維金属ワイヤ又は撚られたワイヤから形成されてもよい。撚糸は、絶縁性であっても導電性であってもよい。撚糸はその全体の長さにわたって導電性であってもよく、又は導電性のセグメント（例えば、絶縁された導電繊維からポリマー絶縁材を局所的に除去することで露出される金属部分）を有してもよい。編み合わされた単繊維から形成される糸及び他の多撚糸の束は、導電撚糸と絶縁撚糸との混合を含んでもよい（例えば、外側に絶縁層を有する若しくは有さない金属撚糸又は金属コーティングされた撚糸を、絶縁性である固形プラスチック撚糸若しくは天然撚糸と組み合わせて用いてもよい）。
【００４９】
撚糸源２４は経撚糸（例えば、図３の経撚糸１２−１）を編み合わせ機２８に与え、緯撚糸（例えば、図３の緯入れ撚糸１２−２）を緯撚糸入れ機２６に与えてもよい。緯撚糸入れ機２６は緯撚糸１２−２を編み合わせ機２８に供給してもよい。
【００５０】
撚糸源２４からの経撚糸１２−１（図３）及び緯撚糸入れ機２６からの緯撚糸１２−２を編み合わせ機２８を用いて編み合わせて、布地２０を生成してもよい。機器２８には、トリコット編機、ラッシェル編機（例えば、シングルニードルバー又はダブルニードルバーラッシェル編機）、ミラニーズ編機、又は他の撚糸源２４から撚糸を編み合わせるのに好適な機器などの編機が挙げられる。機器２８は自動化されてもよい。例えば、機器２８は源２４からの繊維を操作して編み合わせるコンピュータ制御のアクチュエータを備えてもよい。編み合わせ機２８は三次元の布構造体（例えば、潜在的に複雑な多層構造を有する布地）を形成するように構成されてもよい。例えば、編み合わせ機２８には、三次元構造体を生成する編機、三次元織機、三次元編み組み地を生成するためのツールなどが挙げられる。
【００５１】
緯撚糸入れ機２６は、編んでいる最中に経編機２８内に緯撚糸１２−２を供給する１つ以上のフィーダを含んでもよい。所望であれば、緯撚糸入れ機２６は自動化されてもよい。例えば、機器２６は、緯撚糸１２−２が編機２８に挿入されたときに制御し、布地２０内のそれぞれの緯撚糸１２−２によってわたる幅を制御する、コンピュータ制御のアクチュエータを含み得る。緯撚糸１２−２によってわたった幅は、編む前に予め決められてもよく、又は編む処理中に決められて調節されてもよい。緯撚糸入れ機２６は緯撚糸１２−２の列を、布地２０の様々な幅で生成してもよい。
【００５２】
図４に示すように、挿入された緯撚糸１２−２を含む布地２０は、追加のツール及び組立機器３２を用いて処理されてもよい。機器３２は、撚糸１２を処理する際に用いられてもよい。機器３２は撚糸１２間での電気的な接続を形成する際、及び図１の回路１６における電子構成要素などの電子構成要素を導電撚糸１２などの撚糸に取り付ける際に、用いてもよい。例えば、機器３２は、半田接合、圧着金属接続、溶接、導電接着剤、又は他の導電性取付構造体を用いて、電子構成要素を撚糸１２に取り付けるのに用いてもよい。このようにして撚糸に取り付けられた電気構成要素には、発光構成要素、集積回路、発光ダイオード、通信回路及び／又は各構成要素をディスプレイの画素として動作させることを可能とする発光ダイオードドライバ回路などの、トランジスタ系回路とパッケージングされた発光ダイオード、抵抗器、コンデンサ、及びインダクタなどの個別のコンポーネント、マイク及び／又はスピーカなどのオーディオ構成要素、タッチセンサ（共同設置されたタッチセンサ処理回路有り又は無しで）などのセンサ、加速度計、温度センサ、力センサ、微小電気機械システム（ＭＥＭＳ）デバイス、トランスデューサ、ソレノイド、電子磁石、圧力センサ、光センサ、近接センサ、ボタン、スイッチ、２端子デバイス、３端子デバイス、４つ以上の接点を有するデバイスなどが含まれ得る。機器３２を用いて電気構成要素を撚糸１２に取り付けるための電気接続は、半田、導電接着剤、溶接、成形されたパッケージ部品、機械的締め具、巻かれた撚糸接続、圧入接続、圧着接続（例えば、歪曲金属プロング接続）、及び他の機械的接続、機器３２を用いて撚糸１２に選択的に塗布される液体コーティングの一部（例えば、金属塗料、導電接着剤など）、又は導電構造体間での電気ショートを形成するための他の任意の構成を用いて、形成されてもよい。
【００５３】
機器３２は、布地２０を、プラスチック、金属、ガラス、又は他の素材から形成された筐体構造体に取り付けるのに用いてもよい。布地２０は、布地系物品に縫われる、切断される、及び他の方法で組み込まれて、仕上げられた布地系物品（例えば、電子デバイス１０）を形成してもよい。
【００５４】
図５は、布地２０を編むのに使用できる例示的な編機の平面図である。図５に示されるように、編機２０は、いくつかのガイド３６を有するガイドバー３４を含み得る。それぞれの経糸１２−１は、対応する１つのガイド３６に糸通しされてもよい。ニードルバー４０はいくつかのニードル３８を含んでもよい。ニードルバー４０内のニードル３８の全ては一斉に動いてもよい。ニードル３８はベラ３８Ｂを有するベラニードルであってもよく、又は他の任意の好適な種類の編みニードル（例えば、ラッチニードル、コンパウンドニードル、カラビナニードルなど）であり得る。
【００５５】
編機２８の様々な構成要素を動かすことで、隣接する経撚糸１２−１の間に編み目が作られる。ガイドバー３４は、方向４２に沿ってニードル３８間を行ったり来たりして動くように構成される。この動きはスイングと呼ばれることがある。ガイドバー３４はまた、方向４４において横方向に、ニードル３８の前又は後ろに動くようにも構成される。この動きはショッグと呼ばれることがある。図６、図７、及び図８は、図５に示す種類の編機を用いて、どのようにして経編地に編み目が形成されるかを示す。
【００５６】
図６に示すように、編み目形成は、ガイド３６が機械２８の前側（例えば、ニードル３８の開口側とは反対側）から機械２８の後ろ側（例えば、ニードル３８の開口側）に、方向６６にてスイングして、隣接するニードル３８の間の経糸１２−１を機械２８の後ろ側に持ってくることから始まる。この段階で、閉構造４６は下がっており、ニードル３８のベラ３８Ｂは開いている。
【００５７】
図７では、ガイド３６は横方向にニードル３８の後ろに方向５０にてショッグ動作し、経撚糸１２−１をニードル３８の後ろに重ね合わせる。この横へのショッグ動作の後、ガイド３６は方向５２にて後ろ側から前側にスイングして、経糸１２−１をニードル３８の間に戻してくる（例えば、ニードル３８の、図６の前側から後ろ側へのスイングとは反対側に）。
【００５８】
図８では、閉構造４６は上方向に、方向６２にて移動して、新しくできた編み目５６（例えば、図７の重ね合わせるステップから形成されたニードル３８周りの編み目）をニードル３８内に閉じ込める。閉じられたニードル３８は次に方向５８にて下方向に動き、新しい編み目５６を方向６０に、古い編み目５４などの以前に作られた、ニードル３８の下部分に巻かれている編み目を通して引っ張られる。新しい編み目５６が古い編み目５４を引っ張り通された後、シンカー４８などのシンカーを方向６４に後ろ方向に動かして、古い編み目５４を放してもよい（ノックオーバーと呼ばれることがある処理）。古い編み目をニードル３８から外した後に、シンカー４６は方向６８に前進して、次の編み目形成のサイクルのためにニードル３８が上昇する前に、布地２０を固定するために動いてもよい。
【００５９】
図５、図６、図７、及び図８の編機は、単なる例示に過ぎない。同様の動きが様々な種類の編機（例えば、トリコット機、ラッシェル機、コンパウンドニードルのある機械、ベラニードル、又は他の好適なニードルの種類など）に適用され得る。
【００６０】
図９は、挿入された緯撚糸を有する経編地２０の断面図である。図９に示すように、緯入れ撚糸１２−２は、布地２０の以前に形成された編み目５４の間に、新たな編み目（例えば、図８の編み目５６などの新たな編み目）を以前に形成された編み目５４を通して引っ張る前に、布地２０内に挿入されてもよい。一度新たな編み目が古い編み目を通って引っ張られると、経入れ撚糸１２−２は布地２０と一体化され得る。
【００６１】
図１０は、緯撚糸１２−２を編んでいる間に布地２０に挿入するために使うことができる例示的な機器の斜視図である。図１０に示すように、緯撚糸入れ機２６は、緯撚糸１２−２が巻かれるいくつかの構造体７０（例えば、ホック、ピン、支柱など）を有するコンベヤ７４などのコンベヤベルト構造体を備えてもよい。ホック７０はそれぞれの緯撚糸セグメント１２Ｓを布地２０の幅Ｗと平行に保持する。緯撚糸セグメント１２Ｓを布地２０に挿入するには、ローラ８０は方向７２に回転し、そのことでコンベヤ表面７６は方向７８に回転させられる。緯セグメント１２Ｓはコンベヤ７４から放され、布地２０に対して交差するように配置される（例えば図９を参照）。
【００６２】
図１０に示すように、緯撚糸セグメント１２Ｓの幅は支柱７０の間の間隔によって決まる。所望であれば、機器２６は均一幅の緯セグメントを形成するために支柱７０間に均一の間隔を有してもよく、又は機器２６は、図１０に示すように、可変な幅を有する緯セグメントを形成するために支柱７０間に可変の間隔を有してもよい。例えば、距離Ｄ１は１対の対向する支柱７０を離間させてもよい一方で、距離Ｄ２（例えば、Ｄ１よりも短い距離）は別の対向する支柱の対を離間させてもよい。
【００６３】
所望であれば、コンベヤ表面７６上の支柱７０の位置は固定されてもよく、又はそれらの位置は調節可能であり得る。いずれの場合においても、緯入れ撚糸１２−２はコンベヤ表面７６上に特定のパターンにて予め載置され得る。緯撚糸１２−２がコンベヤ表面７６上に載置されるパターンは、緯撚糸１２−２で布地２０にて生成されるパターンと対応してもよい。例えば、コンベヤ表面７６上の近隣の支柱７０の対の間の距離Ｄ１及びＤ２は、幅Ｄ１及びＤ２のある第１及び第２の緯入れセグメント１２Ｓを布地２０内に生成し得る。
【００６４】
緯入れ機２６が、緯撚糸１２−２を布地２０に挿入する前に緯入れ撚糸１２−２のパターンを予め載置するコンベヤシステムを備える図１０の実施例は、単なる例示に過ぎない。所望であれば、緯入れ機２６は、緯撚糸を布地２０に正確に移動させて位置決めするコンピュータ制御の緯撚糸位置決め装置を備えてもよい。この種の構成を図１１に示す。
【００６５】
図１１の例示的な実施例では、布地２０は、第１の外層８２Ａ及び第２の外層８２Ｂの間に介在されたスペーサ層８２Ｓを有する多層布地である。この種の多層布地は、例えば、糸通ししたガイドバーが外層８２Ａ及び８２Ｂを形成し、追加の糸通ししたガイドバーが外層８２Ａ及び８２Ｂにスペーサ層８２Ｓを取り付けるために用いられる、ラッシェルダブルニードルバー機を用いて、形成されてもよい。
【００６６】
いくつかの実施形態では、図１１のスペーサ構造はタッチ感知式テキスタイルを形成するのに用いられてもよい。外層８２Ａ及び８２Ｂのそれぞれは、１組の導電撚糸を含み得る。スペーサ層は、テキスタイルへのタッチに応じて圧縮又は変形し、その結果、層８２Ａの導電撚糸間の距離が層８２Ｂの導電撚糸に近づく。導電撚糸間の距離の変化は導電撚糸間の容量を変化させる可能性があり、これは感知回路によって監視され得る。所望であれば、タッチに関連付けられた力は容量の変化に基づいて判定される。
【００６７】
図１１に示すように、緯撚糸位置決め装置２６は、織っている間に緯撚糸１２−２を布地２０に供給するフィーダ８４（キャリア、緯入れデバイス、又は緯撚糸位置決め機と呼ばれることがある）を備えてもよい。緯撚糸１２−２が布地２０に挿入される位置は図９及び図１０のものと類似していてもよい（例えば、以前に形成された編み目と、以前に形成された編み目で輪に囲まれる新たに巻かれた撚糸との間）。緯撚糸１２−２のパターンが挿入前に機器２６上に形成される図１０とは対照的に、図１１の機器２６は緯撚糸１２−２のパターンを、緯撚糸が布地２０に挿入されながら生成する。例えば、編機２８に２つのホックの間に伸長された伸長緯撚糸を供給するのではなく、フィーダ８４は、編機２８が布地２０を編んでいる中で編機２８を横切って方向１０８に沿って移動しながら緯撚糸１２−２を布地２０に供給してもよい。
【００６８】
フィーダ８４は、コンピュータ制御の位置決め装置８６によって制御されてもよい。所望であれば、編まれている間に緯入れ撚糸１２−２のパターンが編機２８の動作のいかなる変更を必要とせずにカスタマイズ及び調節され得るように、コンピュータ制御の位置決め装置８６はフィーダ８４の動き及び配置を編機２８の動作と同期させてもよい。
【００６９】
コンピュータ制御の位置決め装置８６は、緯撚糸１２−２のセグメント１２Ｓを布地２０に挿入するように、フィーダ８４を操作する。図１１に示すように、緯セグメント１２Ｓは異なる幅を有してもよく、布地２０の異なる部分にわたってもよい。布地２０の所定のセグメント１２Ｓの幅１１０は、緯入れ機２６の動きによって決められてもよい。例えば、布地２０内に幅１１０のセグメントを作成するには、コンピュータ制御の位置決め装置８６は、緯セグメント１２Ｓを編機２８に配置しながら挿入デバイス８４を幅１１０にわたって移動させてもよい。緯セグメントは、編機２８が経撚糸１２−１で編み目を形成しながら、布地２０と一体化される。
【００７０】
緯撚糸位置決め装置２６が１つのフィーダ８４を含む図１１の実施例は、単なる例示に過ぎない。所望であれば、緯撚糸位置決め装置２６は複数のフィーダ８４を備えてもよい。例えば、１つのフィーダ８４は緯撚糸１２−２を層８２Ａに供給する一方で、別のフィーダ８４は緯撚糸１２−２を層８２Ｂに供給してもよい。所望であれば、層８２Ａの緯撚糸１２−２及び層８２Ｂの緯撚糸１２−２は導電性であってもよく、互いに重なり合ってもよい。導電緯撚糸の重畳領域は、例えば、布地２０におけるタッチセンサ及び／又は力センサの一部としてセンサ電極を形成してもよい。
【００７１】
所望であれば、複数のフィーダ８４が、１つ以上の層８２Ａ、８２Ｂ、及び８２Ｃのために用いられてもよい。この種の構成を図１２に示す。図１２に示すように、緯入れ機２６は、位置決め装置８６Ａによって制御されるフィーダ８４Ａ及び位置決め装置８６Ｂによって制御される８４Ｂなどの複数のフィーダを備えてもよい。フィーダ８４Ａ及び８４Ｂは互いに独立して動作して、布地２０内の緯セグメント１２Ｓの複数領域９０を生成し得る。緯セグメント１２Ｓの領域９０が互いに独立して生成されているために、各領域９０は異なるパターンの緯セグメントを有し得る。所定の領域９０内のセグメント１２Ｓの幅は、固定されても可変であってもよい。
【００７２】
２つのフィーダ８４が独立して、異なる緯撚糸１２−２を布地２０に挿入するために用いられる図１２の実施例は、単なる例示に過ぎない。所望であれば、１つ、２つ、３つ、４つ、又は５つ以上のフィーダ８４を用いて、布地２０内の緯セグメント１２Ｓを挿入してその幅を制御してもよい。可変する幅及びパターンの緯セグメント１２Ｓを挿入することができることによって、布地２０内に異なる形状、大きさ、及び機能を有する領域９０を生成することが可能となる。領域９０は、布地２０に見た目に美しいデザインを生成してもよく、及び／又は機能的な目的で（例えば、布地２０にタッチ感知式及び／又は力感知式領域の異なるパターン、形状、及び大きさを生成するために）用いられてもよい。
【００７３】
図１３、図１４、図１５、及び図１６は、図４〜図１２で説明した機器及び方法を用いて緯入れ撚糸で作ることができる様々なパターンを示す。
【００７４】
図１３の実施例では、緯撚糸１２−２は布地２０にいくつかの平行な緯セグメント１２Ｓを形成する。緯セグメント１２Ｓは異なる幅Ｗを有してもよい。例えば、領域９２の緯セグメント１２Ｓは、領域９４の緯セグメント１２Ｓよりも大きい幅を有してもよい。この実施例では、隣接するセグメント１２Ｓ間の間隔Ｓは、布地２０では均一である。しかしながら、所望であれば、セグメント１２Ｓは不均一な間隔を有してもよい。
【００７５】
図１４の実施例では、緯撚糸１２−２は可変幅のセグメントを有し、布地２０の異なる領域に異なるパターンを有する。図１５の実施例では、緯撚糸１２−２は可変幅及び隣接するセグメント間の可変間隔Ｓのセグメント１２Ｓを有する。例えば、１対のセグメント１２Ｓは距離Ｓ１だけ離間し得る一方で、別の対のセグメント１２ＳはＳ１よりも短い距離Ｓ２だけ離間し得る。
【００７６】
図１６の実施例では、布地２０は緯入れ撚糸１２−２及び経入れ撚糸１２−３の両方を含む。所望であれば、緯撚糸１２−２間の間隔及び経撚糸１２−３間の間隔は、異なる解像度の領域を生成するために調整され得る。例えば、図１６に示すように、領域９６における経撚糸１２−３は、布地２０の他の領域の経撚糸１２−３よりも近い間隔で設けられてもよい。領域９８における緯撚糸１２−２は、布地２０の他の領域における緯撚糸１２−２よりも近い間隔で設けられてもよい。このことで、近い間隔での経撚糸１２−３及び近い間隔での緯撚糸１２−２の領域１００を生成する。経撚糸１２−３及び緯撚糸１２−２が導電性である構成では、領域１００は個別のタッチ感知式及び／又は力感知式領域を布地２０内に生成してもよい。
【００７７】
一実施形態によれば、経編地が提供され、経編地は、互いに編み合わされた複数の経撚糸であって、経撚糸は経編地の第１の端を形成する第１の経撚糸と経編地の第２の端を形成する第２の経撚糸とを含み、経編地の幅は第１の端から第２の端まで延伸する、複数の経撚糸と、経編地の第１及び第２の端の間に、経撚糸を横切って挿入される緯撚糸であって、経撚糸の全てよりも少なく横切って延伸する、緯撚糸と、を備える。
【００７８】
別の実施形態によれば、緯撚糸は電気信号を伝達する導電撚糸を含む。
【００７９】
別の実施形態によれば、緯撚糸は複数の平行する緯撚糸セグメントを有し、それぞれの緯撚糸は少なくともいくつかの経撚糸を横切って延伸する。
【００８０】
別の実施形態によれば、緯撚糸セグメントは、複数の経撚糸における第１の１組の経撚糸を横切って延伸する第１の緯撚糸セグメントと、第１の１組の経撚糸とは異なる、複数の経撚糸における第２の１組の経撚糸を横切って延伸する第２の緯撚糸セグメントと、を少なくとも含む。
【００８１】
別の実施形態によれば、緯撚糸セグメント間の間隔は均一である。
【００８２】
別の実施形態では、緯撚糸の緯撚糸セグメント間の間隔は不均一である。
【００８３】
別の実施形態によれば、経編地は、経編地の第１及び第２の端の間に経撚糸を横切って挿入される追加の緯撚糸を更に含み、追加の緯撚糸は経撚糸の全てよりも少なく横切って延伸する。
【００８４】
別の実施形態によれば、緯撚糸は経編地における第１のパターンに従い、追加の緯撚糸は経編地における第２のパターンに従い、第１のパターンは第２のパターンとは異なる。
【００８５】
別の実施形態によれば、緯撚糸は複数の経撚糸における第１の１組の経撚糸を横切って延伸し、追加の緯撚糸は複数の経撚糸における第２の１組の経撚糸を横切って延伸し、第１の１組の経撚糸は第２の１組の経撚糸とは異なる。
【００８６】
一実施形態によれば、経編テキスタイルを提供し、経編テキスタイルは、第１の複数の経撚糸と、第１の複数の経撚糸における経撚糸の全てよりも少なく横切って延伸する第１の緯入れ撚糸と、を備える第１の層と、第２の複数の経撚糸を備える第２の層と、第１の層及び第２の層との間に介在し、第１の層を第２の層に連結する第３の複数の経撚糸を備える、スペーサ層と、を備える。
【００８７】
別の実施形態によれば、第２の層は、第２の複数の経撚糸における経撚糸の全てよりも少なく横切って延伸する第２の緯入れ撚糸を含む。
【００８８】
別の実施形態によれば、第１及び第２の緯入れ撚糸は導電撚糸を含む。
【００８９】
別の実施形態によれば、第３の複数の経撚糸は絶縁撚糸を含む。
【００９０】
別の実施形態によれば、第１の層における第１の緯入れ撚糸は第２の層の第２の緯入れ撚糸と重なり合う。
【００９１】
一実施形態によれば、経編テキスタイルを形成するための機器が提供され、機器は、複数の経撚糸を編み合わせる経編機と、経編機に経撚糸を横切って緯入れ撚糸を供給する、緯入れデバイスと、緯入れデバイスを経編機に対して、緯入れ撚糸が複数の経撚糸にわたって異なる幅を有するように配置する、コンピュータ制御の位置決め装置と、を備える。
【００９２】
別の実施形態によれば、経編機は、トリコット編機、シングルニードルバーラッシェル編機、及びダブルニードルバーラッシェル編機からなる群より選択される経編機を含む。
【００９３】
別の実施形態によれば、経編機は幅を有し、コンピュータ制御の位置決め装置は、緯入れデバイスが緯入れ撚糸を挿入するときに経編機の幅全てよりも少なく横切って緯入れデバイスを移動させる。
【００９４】
別の実施形態によれば、経編機は幅を有し、コンピュータ制御の位置決め装置は、緯入れデバイスが第１の緯入れ撚糸を挿入するときに経編機の幅の第１の部分を横切り、及び緯入れデバイスが第２の緯入れ撚糸を挿入するときに経編機の幅の第２の部分を横切って、緯入れデバイスを移動させ、第１の部分は第２の部分とは異なる。
【００９５】
別の実施形態によれば、機器は、経編機に経撚糸を横切って追加の緯入れ撚糸を供給する、追加緯入れデバイスと、追加緯入れデバイスを経編機に対して位置決めする、追加のコンピュータ制御の位置決め装置と、を更に備える。
【００９６】
別の実施形態によれば、緯入れデバイスは経編機に緯入れ撚糸を第１のパターンで供給する一方で、追加緯入れデバイスは追加の緯入れ撚糸を経編機に、第１のパターンとは異なる第２のパターンで供給する。
【００９７】
前述の内容は単なる例示に過ぎず、説明した実施形態の範囲及び趣旨から逸脱することなく、当業者によって種々の修正を行うことができる。前述の実施形態を個々に又は任意の組み合わせで実施することができる。
【図１】
0006676665.tif 000002
【図２】
0006676665.tif 000003
【図３】
0006676665.tif 000004
【図４】
0006676665.tif 000005
【図５】
0006676665.tif 000006
【図６】
0006676665.tif 000007
【図７】
0006676665.tif 000008
【図８】
0006676665.tif 000009
【図９】
0006676665.tif 000010
【図１０】
0006676665.tif 000011
【図１１】
0006676665.tif 000012
【図１２】
0006676665.tif 000013
【図１３】
0006676665.tif 000014
【図１４】
0006676665.tif 000015
【図１５】
0006676665.tif 000016
【図１６】
0006676665.tif 000017